(57)【要約】【課題】昇降装置を適切な位置に取り付けること。【解決手段】実施形態に係る昇降装置は、便器に固定された第１ベース部に対して、第２ベース部を昇降可能である。昇降装置は、爪部と、保持部と、付勢部とを備える。爪部は、第１ベース部、または第２ベース部の一方に設けられる。保持部は、第１ベース部、または第２ベース部の他方に設けられ、爪部に係合可能である。付勢部は、保持部を爪部に向けて付勢する。また、保持部は、爪部に係合可能な階段状の段部を備え、第２ベース部が降下された場合に、段部を爪部に係合させて第２ベース部を所定の取付位置に保持する。【選択図】図１７Ｄ
2020130740.tif 000002
【特許請求の範囲】
【請求項１】
便器に固定された第１ベース部に対して、第２ベース部を昇降可能な昇降装置であって、
前記第１ベース部、または前記第２ベース部の一方に設けられた爪部と、
前記第１ベース部、または前記第２ベース部の他方に設けられ、前記爪部に係合可能な保持部と、
前記保持部を前記爪部に向けて付勢する付勢部と
を備え、
前記保持部は、
前記爪部に係合可能な階段状の段部を備え、
前記第２ベース部が降下された場合に、前記段部を前記爪部に係合させて前記第２ベース部を所定の取付位置に保持する
ことを特徴とする昇降装置。
【請求項２】
前記爪部、および前記保持部の少なくとも一方には、
前記爪部と前記保持部とが係合しない状態から前記第２ベース部が降下されて、前記保持部が前記第１ベース部に接触した場合に、前記保持部を前記付勢部の付勢力に抗して移動させる傾斜面が形成される
ことを特徴とする請求項１に記載の昇降装置。
【請求項３】
前記傾斜面は、前記爪部、および前記保持部に形成される
ことを特徴とする請求項２に記載の昇降装置。
【請求項４】
前記保持部には、前記爪部が係合する係合面に直交し、前記爪部の先端が当接する当接面が形成される
ことを特徴とする請求項１〜３のいずれか一つに記載の昇降装置。
【請求項５】
前記爪部、または前記保持部は、前記第１ベース部に対する前記第２ベース部の上昇位置を規制する規制部に形成される
ことを特徴とする請求項１〜４のいずれか一つに記載の昇降装置。
【請求項６】
前記爪部、および前記保持部は、前記第２ベース部の昇降方向に対して交差する方向に並んでそれぞれ２つ形成され、
２つの前記爪部の係合面の高さの差は、前記段部の高さよりも小さい
ことを特徴とする請求項１〜５のいずれか一つに記載の昇降装置。
【請求項７】
２つの前記爪部の係合面の高さの差は、前記段部の高さの１／２である
ことを特徴とする請求項６に記載の昇降装置。
【発明の詳細な説明】
【技術分野】
【０００１】
開示の実施形態は、昇降装置に関する。
【背景技術】
【０００２】
従来、便器に取り付けられた第１ベース部材に対して、機能部を有する第２ベース部材を昇降させる昇降装置が知られている（例えば、特許文献１参照）。
【先行技術文献】
【特許文献】
【０００３】
【特許文献１】特開２０１８−１５３１２号公報
【発明の概要】
【発明が解決しようとする課題】
【０００４】
上記する昇降装置は、便器の製造ばらつきに対応するために、第２ベース部材に複数の爪部を有する第１係合部を設け、第１ベース部材に爪部が係合する第２係合部を設け、第１ベース部材に対する第２ベース部材の高さを調整可能にしている。
【０００５】
しかし、上記する昇降装置は、爪部が上下方向に並んで形成されており、爪部の強度を大きくするために爪部間の距離が長くなっている。そのため、上記する昇降装置は、第２ベース部材の高さを短いピッチで調整することができず、第１ベース部材に対し、第２ベース部材を適切な位置に取り付けることができないおそれがある。
【０００６】
実施形態の一態様は、適切な位置に取り付け可能な昇降装置を提供することを目的とする。
【課題を解決するための手段】
【０００７】
実施形態の一態様に係る昇降装置は、便器に固定された第１ベース部に対して、第２ベース部を昇降可能な昇降装置であって、前記第１ベース部、または前記第２ベース部の一方に設けられた爪部と、前記第１ベース部、または前記第２ベース部の他方に設けられ、前記爪部に係合可能な保持部と、前記保持部を前記爪部に向けて付勢する付勢部とを備え、前記保持部は、前記爪部に係合可能な階段状の段部を備え、前記第２ベース部が降下された場合に、前記段部を前記爪部に係合させて前記第２ベース部を所定の取付位置に保持することを特徴とする。
【０００８】
昇降装置は、第１ベース部に対する第２ベース部の降下位置を段部によって調整することができる。そのため、昇降装置は、便器の上面にばらつきがある場合であっても、例えば、第２ベース部の保持部の段部を、第１ベース部の爪部に係合させることができ、第２ベース部を適切な降下位置に保持することができる。
【０００９】
また、昇降装置は、爪部と係合する箇所の強度を大きくし、段部の段差間の距離を短くすることができる。そのため、昇降装置は、第１ベース部に対する第２ベース部の降下位置を短いピッチで調整することができ、第１ベース部に対し、第２ベース部を適切な降下位置に取り付けることができる。
【００１０】
前記爪部、および前記保持部の少なくとも一方には、前記爪部と前記保持部とが係合しない状態から前記第２ベース部が降下されて、前記保持部が前記第１ベース部に接触した場合に、前記保持部を前記付勢部の付勢力に抗して移動させる傾斜面が形成されることを特徴とする。
【００１１】
昇降装置は、第２ベース部が下方に押された場合に、傾斜面によって保持部を、例えば前方に移動させて、その後、保持部の段部を爪部に係合させることができる。そのため、利用者は、第２ベース部を下方に押すだけで、第１ベース部に対し、第２ベース部を適切な降下位置に取り付けることができる。
【００１２】
前記傾斜面は、前記爪部、および前記保持部に形成されることを特徴とする。
【００１３】
昇降装置は、第２ベース部が下方に押された場合に、傾斜面によって保持部を、例えば、前方に確実に移動させることができる。
【００１４】
前記保持部には、前記爪部が係合する係合面に直交し、前記爪部の先端が当接する当接面が形成されることを特徴とする。
【００１５】
昇降装置は、当接面に、爪部の先端を当接させて、例えば、保持部の後方への移動を規制することができる。そのため、昇降装置は、第１ベース部に対し、第２ベース部を適切な降下位置に保持することができる。
【００１６】
前記爪部、または前記保持部は、前記第１ベース部に対する前記第２ベース部の上昇位置を規制する規制部に形成されることを特徴とする。
【００１７】
昇降装置は、第１ベース部に対し、第２ベース部の上昇位置、および降下位置を規制する部材を共通化することができ、部品点数を少なくすることができる。
【００１８】
前記爪部、および前記保持部は、前記第２ベース部の昇降方向に対して交差する方向に並んで２列形成され、２つの前記爪部における係合面の高さの差は、前記段部の高さよりも小さいことを特徴とする。
【００１９】
昇降装置は、２つの爪部に対し、段部を交互に係合させることができ、第１ベース部に対する第２ベース部の降下位置を短いピッチで調整することができる。
【００２０】
２つの前記爪部の係合面の高さの差は、前記段部の高さの１／２であることを特徴とする。
【００２１】
昇降装置は、第１ベース部に対する第２ベース部の降下位置を複数段で均等に調整することができる。
【発明の効果】
【００２２】
実施形態の一態様によれば、昇降装置を適切な位置に取り付けることができる。
【図面の簡単な説明】
【００２３】
【図１】図１は、トイレ装置を示す概略斜視図である。
【図２】図２は、昇降装置を左上方から見た斜視図である。
【図３】図３は、昇降装置を左下方から見た斜視図である。
【図４】図４は、昇降装置の平面図である。
【図５】図５は、固定部を左上方から見た斜視図である。
【図６】図６は、固定部の一部を前方から見た正面図である。
【図７】図７は、図４のVII-VII断面の一部を示す断面図である。
【図８】図８は、ガイドプレートの平面図である。
【図９】図９は、突出部付近を後方から見た背面図である。
【図１０】図１０は、昇降装置の一部を示す分解図である。
【図１１】図１１は、保持部の平面図である。
【図１２】図１２は、保持部を左方から見た側面図である。
【図１３】図１３は、操作部を左下方から見た斜視図である。
【図１４】図１４は、図４のXIV-XIV断面図である。
【図１５】図１５は、図４のXIV-XIV断面におけるリフトアップ状態の断面図である。
【図１６】図１６は、図４のVII-VII断面におけるリフトアップ状態の断面図である。
【図１７Ａ】図１７Ａは、リフトアップ状態から回動部が降下した場合の保持部の動きを説明する図（その１）である。
【図１７Ｂ】図１７Ｂは、リフトアップ状態から回動部が降下した場合の保持部の動きを説明する図（その２）である。
【図１７Ｃ】図１７Ｃは、リフトアップ状態から回動部が降下した場合の保持部の動きを説明する図（その３）である。
【図１７Ｄ】図１７Ｄは、リフトアップ状態から回動部が降下した場合の保持部の動きを説明する図（その４）である。
【図１７Ｅ】図１７Ｅは、リフトアップ状態から回動部が降下した場合の保持部の動きを説明する図（その５）である。
【図１７Ｆ】図１７Ｆは、リフトアップ状態から回動部が降下した場合の保持部の動きを説明する図（その６）である。
【発明を実施するための形態】
【００２４】
以下、添付図面を参照して、本願の開示する昇降装置の実施形態を詳細に説明する。なお、以下に示す実施形態によりこの発明が限定されるものではない。
【００２５】
まず、実施形態に係る昇降装置１０が適用されるトイレ装置１について図１を参照し説明する。図１は、トイレ装置１を示す概略斜視図である。図１には、説明の便宜上、３次元の直交座標系を図示している。直交座標系においては、Ｘ軸の正方向を「前方」、負方向を「後方」と規定し、Ｙ軸の正方向を「左方」、負方向を「右方」と規定し、Ｚ軸の正方向を「上方」、負方向を「下方」と規定している。このため、以下の説明では、Ｘ軸方向を左右方向、Ｙ軸方向を前後方向、Ｚ軸方向を上下方向という場合がある。なお、直交座標系は、他の図においても図示している。
【００２６】
トイレ装置１は、洋式腰掛便器（以下、単に便器という）２と、衛生洗浄装置３とを備える。衛生洗浄装置３は、便器２の上面に取り付けられる。
【００２７】
便器２は、たとえば、陶器製である。便器２には、ボウル部２ａが形成される。ボウル部２ａは、下方に凹んだ形状であり、使用者の排泄物を受ける部位である。なお、便器２は、図示のような床置き式に限らず、壁掛け式でもよい。また、トイレ装置１は、便器２の後部に洗浄水を貯留する洗浄水タンク（図示省略）が設置されてもよいし、洗浄水タンクが設置されない、いわゆるタンクレス式でもよい。
【００２８】
衛生洗浄装置３は、本体部４と、便座５と、便蓋６とを備える。便座５と便蓋６とは、本体部４に対してそれぞれ上下方向に回転可能に設けられる。なお、便蓋６は、衛生洗浄装置３に必要に応じて設けられ、省略可能である。
【００２９】
本体部４は、便器２の上面におけるボウル部２ａよりも後方に配置される。本体部４は、便座５と便蓋６とを回転可能に軸支している。
【００３０】
本体部４には、洗浄ノズルユニットや、脱臭ユニットなどの機能部（不図示）が収容される。また、本体部４は、機能部などを便器２に対して昇降可能とする昇降装置１０（図２など参照）を有している。昇降装置１０によって本体部４の一部または全部を上昇させることで、本体部４の下方の便器２を容易に掃除することができる。昇降装置１０は、便座５や、便蓋６などを本体部４の一部または全部とともに昇降させる。
【００３１】
次に、実施形態に係る昇降装置１０について図２〜図４を参照し説明する。図２は、昇降装置１０を左上方から見た斜視図である。図３は、昇降装置１０を左下方から見た斜視図である。図４は、昇降装置１０の平面図である。
【００３２】
昇降装置１０は、固定部１１（第１ベース部）と、回動部１２（第２ベース部）と、付勢部１３とを備える。昇降装置１０は、固定部１１と回動部１２との間に配置された付勢部１３の付勢力によって、固定部１１に対して回動部１２を回動可能とする。昇降装置１０は、固定部１１に対して回動部１２を上方に回動させることで、回動部１２を上昇させる。昇降装置１０は、回動部１２とともに機能部や、便座５（図１参照）などを上昇させる。
【００３３】
昇降装置１０は、固定部１１が便器２に取り付けられた取付状態において、リフトダウン状態、およびリフトアップ状態とすることができる。
【００３４】
リフトダウン状態は、回動部１２が降下し、後述する取付機構２１（図７参照）によって回動部１２が固定部１１に取り付けられた状態である。リフトアップ状態は、取付機構２１によって回動部１２が固定部１１に取り付けられておらず、回動部１２が上昇した状態である。
【００３５】
なお、図２〜図４は、リフトダウン状態の昇降装置１０を示している。
【００３６】
固定部１１について、図５および図６を参照し説明する。図５は、固定部１１を左上方から見た斜視図である。図６は、固定部１１の一部を前方から見た正面図である。
【００３７】
固定部１１は、便器２（図１参照）の上面に取り付けられ、固定される。固定部１１は、樹脂製である。固定部１１は、図５に示すように、取付部１５と、第１係合部１６と、第２係合部１７とを備える。
【００３８】
取付部１５は、Ｘ方向、およびＹ方向に沿って延びるように形成され、便器２（図１参照）の上面に取り付けられる。取付部１５には、後方側に第１凹部１５ａが形成される。第１凹部１５ａは、左右方向に間隔を設けて２つ形成される。第１凹部１５ａには、付勢部１３（図３参照）が配置される。第１凹部１５ａの底部１５ｂには、付勢部１３が載置される。
【００３９】
第１係合部１６は、取付部１５の後端から上方に向けて突出する。第１係合部１６は、２つの第１凹部１５ａの間に形成される。
【００４０】
第１係合部１６の上端には、後方に向けて突出する第１爪部１６ａが形成される。また、第１係合部１６には、前壁面１６ｄから後方に向けて第２凹部１８が形成される。第２凹部１８は、左右方向に並んで２つ形成される。２つの第２凹部１８の上壁面１８ａ（係合面）の高さは、異なっている。
【００４１】
第１係合部１６の前方の上端には、傾斜面１６ｂが形成される。傾斜面１６ｂは、第１爪部１６ａよりも前方に形成される。傾斜面１６ｂは、第１係合部１６の上壁面１６ｅと、第１係合部１６の前壁面１６ｄとを接続するように形成される。
【００４２】
傾斜面１６ｂは、左右方向に並んで２つ形成される。なお、２つの傾斜面１６ｂは、一体に形成されてもよい。傾斜面１６ｂは、前方側となるにつれて高さが低くなるように傾斜する。第１係合部１６には、傾斜面１６ｂと、前壁面１６ｄと、第２凹部１８の上壁面１８ａとによって第２爪部１６ｃ（爪部）が形成される。
【００４３】
第２係合部１７は、第１係合部１６よりも前方の取付部１５から上方に向けて突出する。具体的には、第２係合部１７は、前後方向における取付部１５の中央付近から上方に向けて形成される。
【００４４】
第２係合部１７は、左右方向に間隔を設けて２つ形成される。第２係合部１７の上端には、前方に向けて突出する第３爪部１７ａが形成される。
【００４５】
第１係合部１６は、第２係合部１７よりも強度が大きい。具体的には、第１係合部１６の前後方向の長さは、第２係合部１７の前後方向の長さよりも長い。また、第１係合部１６の左右方向の長さは、第２係合部１７の左右方向の長さよりも長い。なお、第１係合部１６の強度を第２係合部１７の強度よりも大きくする方法は、これに限定されることはない。例えば、第１係合部１６、および第２係合部１７は、異なる材料によって構成され、第１係合部１６の強度を第２係合部１７の強度よりも大きくしてもよい。
【００４６】
次に、回動部１２について図７〜図９を参照し説明する。図７は、図４のVII-VII断面の一部を示す断面図である。図８は、ガイドプレート２０の平面図である。図９は、突出部２３付近を後方から見た背面図である。
【００４７】
回動部１２は、固定部１１（図７参照）よりも後方に位置する回動軸（不図示）を中心に回動可能に設けられる。回動部１２の回動軸は、固定部１１の第１係合部１６に対し、ボウル部２ａとは反対側に位置する。回動部１２は、図７に示すように、ガイドプレート２０と、取付機構２１とを備える。
【００４８】
ガイドプレート２０は、機能部を支持する。ガイドプレート２０は、樹脂製である。ガイドプレート２０は、図８に示すように、枠状に形成され、前後方向における中央よりも前方側に肉厚部２２を備える。
【００４９】
肉厚部２２には、後方に向けて突出する突出部２３が形成される。突出部２３は、左右方向に間隔を設けて２つ形成される。
【００５０】
突出部２３が形成される箇所には、第１凹部２４が形成される。すなわち、第１凹部２４は、左右方向に２つ形成される。第１凹部２４は、肉厚部２２の上壁面２２ａから下方に向けて形成される。第１凹部２４の底部２４ａには、付勢部１３が貫通する貫通孔２４ｂが形成される。すなわち、第１凹部２４には、付勢部１３が設けられる。なお、肉厚部２２には、第１凹部２４の上方を覆う板部２５（図７参照）がネジ２６（図７参照）によって取り付けられる。板部２５は、金属製である。
【００５１】
２つの突出部２３の間には、２つの突出部２３を接続する第１係合部２８が形成される。第１係合部２８は、２つの突出部２３の後方の下端を接続するように左右方向に沿って形成される。２つの突出部２３を接続する第１係合部２８を設けることで、肉厚部２２には、固定部１１の第１係合部１６（図７参照）が挿入される挿入孔２９が形成される。第１係合部２８は、固定部１１の第１係合部１６の第１爪部１６ａ（図７参照）が係合可能となるように形成される。
【００５２】
また、２つの突出部２３の間の肉厚部２２には、図９に示すように、後壁面２２ｂから前方に向けて第２凹部３０が形成される。
【００５３】
第２凹部３０は、左右方向に並んで２つ形成される。第２凹部３０には、取付機構２１のバネ４６、および保持部４０（図７参照）が挿入される。
【００５４】
第２凹部３０の側壁面３０ａには、ガイド溝３０ｂが形成される。ガイド溝３０ｂは、各側壁面３０ａに形成される。ガイド溝３０ｂは、前後方向に沿って形成される。ガイド溝３０ｂには、保持部４０の第１突出部４３（図１１参照）が挿入される。ガイド溝３０ｂは、保持部４０を前後方向に沿って移動可能とするとともに、保持部４０の上下方向への移動を規制するように形成される。
【００５５】
第２凹部３０の前壁面３０ｃには、図７に示すように、バネ４６の一端が当接する。前壁面３０ｃには、バネ４６を保持する突出部３０ｄが形成される。また、肉厚部２２には、図８に示すように、第２凹部３０の上方に第１開口部３０ｅが形成される。肉厚部２２には、第２凹部３０の下方に第２開口部３０ｆが形成される。第２開口部３０ｆには、保持部４０の後方への移動を規制するストッパー３１が設けられる。
【００５６】
また、肉厚部２２には、図８に示すように、上壁面２２ａから下方に向けて第３凹部３２が形成される。第３凹部３２は、左右方向に沿って形成される。第３凹部３２には、取付機構２１の操作部４１（図４参照）が配置される。左右方向における第３凹部３２の中央付近の底部３２ａには、第２凹部３０の第１開口部３０ｅが形成される。すなわち、第２凹部３０と第３凹部３２とは、連通する。
【００５７】
また、第３凹部３２の底部３２ａの左端には、貫通孔３２ｂが形成される。なお、肉厚部２２には、図３に示すように、下壁面２２ｃから上方に向けて第４凹部３３が形成される。第４凹部３３は、貫通孔３２ｂに連通し、左方の端が開口するように形成される。すなわち、第４凹部３３の左方の端には、開口部３３ａが形成される。
【００５８】
また、ガイドプレート２０には、図８に示すように、肉厚部２２よりも前方に上下方向に貫通する貫通孔２０ａが形成される。貫通孔２０ａは、左右方向に間隔を設けて２つ形成される。貫通孔２０ａの下端には、第２係合部３４が形成される。第２係合部３４は、後方に向けて突出する。貫通孔２０ａには、固定部１１の第２係合部１７（図５参照）が挿入される。第２係合部３４は、固定部１１の第２係合部１７の第３爪部１７ａ（図５参照）が係合可能となるように形成される。
【００５９】
次に、取付機構２１について図７、および図１０〜図１２を参照し説明する。図１０は、昇降装置１０の一部を示す分解図である。図１１は、保持部４０の平面図である。図１２は、保持部４０を左方から見た側面図である。取付機構２１は、図７に示すように、保持部４０と、操作部４１と、バネ４６（付勢部）とを備える。
【００６０】
保持部４０は、ブロック状に形成される。保持部４０は、左右方向に並んで２つ設けられる。保持部４０は、図１１、および図１２に示すように、段部４２と、第１突出部４３と、第２突出部４４と、第３突出部４５とを備える。
【００６１】
段部４２は、後方に向けて階段状に形成される。段部４２には、係合面４２ａと、係合面４２ａから上方に沿った当接面４２ｂとが形成される。段部４２は、保持部４０の上壁面４０ａを含めて３段となるように形成される。なお、段部４２の段数は、３段に限定されるものではなく、１段や、２段や、４段以上であってもよい。
【００６２】
係合面４２ａは、固定部１１の第１係合部１６の第２爪部１６ｃ（図７、および図１０参照）と係合可能となるように形成される。具体的には、係合面４２ａは、第２爪部１６ｃを形成する第２凹部１８の上壁面１８ａ（図７、および図１０参照）と当接可能となるように形成される。保持部４０は、段部４２の係合面４２ａを第２爪部１６ｃに当接させることで、上下方向の移動を規制する。
【００６３】
当接面４２ｂは、係合面４２ａに直交するように形成される。当接面４２ｂは、第２爪部１６ｃの先端、すなわち、固定部１１の第１係合部１６の前壁面１６ｄ（図７、および図１０参照）と当接可能となるように形成される。当接面４２ｂは、第２爪部１６ｃが係合面４２ａと当接している場合に、第２爪部１６ｃの先端に当接し、保持部４０の後方への移動を規制する。すなわち、当接面４２ｂは、ストッパーとして機能する。保持部４０は、段部４２の当接面４２ｂを第２爪部１６ｃに当接させることで、後方への移動を規制する。
【００６４】
また、段部４２の下端には、傾斜面４２ｃが形成される。傾斜面４２ｃは、前方側となるにつれて高さが低くなるように傾斜する。
【００６５】
第１突出部４３は、保持部４０の側壁面４０ｂから左右方向に向けて突出する。第１突出部４３は、各側壁面４０ｂに形成される。第１突出部４３は、ガイドプレート２０のガイド溝３０ｂ（図９参照）に挿入される。
【００６６】
第２突出部４４は、保持部４０の下壁面４０ｃから下方に向けて突出する。第２突出部４４は、保持部４０の前方の端に形成される。第２突出部４４は、保持部４０の上壁面４０ａが、固定部１１の第２爪部１６ｃ（図７、および図１０参照）に当接する場合に、ストッパー３１（図７参照）に当接するように形成される。なお、第２突出部４４は、例えば、回動部１２が固定部１１に対して上昇し、保持部４０の段部４２が第１係合部１６の第２爪部１６ｃに係合しない場合にも、ストッパー３１に当接する。保持部４０は、第２突出部４４をストッパー３１に当接させることで、後方への移動を規制する。
【００６７】
第３突出部４５は、保持部４０の上壁面４０ａから上方に向けて突出する。第３突出部４５は、肉厚部２２の第２凹部３０の第１開口部３０ｅ（図７参照）よりも上方に突出する。具体的には、第３突出部４５は、肉厚部２２の第３凹部３２（図７参照）内に突出する。
【００６８】
第３突出部４５は、左前方から右後方に向けて形成される。すなわち、第３突出部４５の後壁面４５ａは、左方から右方となるにつれて後方に位置するように形成される。
【００６９】
また、保持部４０には、図７に示すように、前壁面４０ｅから後方に向けて凹部４７が形成される。凹部４７には、バネ４６が挿入される。凹部４７の後壁面４７ａには、バネ４６の他端が当接する。凹部４７の後壁面４７ａには、バネ４６を保持する第４突出部４７ｂが形成される。保持部４０は、バネ４６によって後方に向けて付勢されている。
【００７０】
操作部４１は、図１０に示すように、左右方向に延設される。操作部４１は、操作ロッド４８と、押込部４９と、バネ５０とを備える。
【００７１】
操作ロッド４８は、前方から見た場合に、略Ｌ字状に形成される。操作ロッド４８には、平面部４８ａが形成される。操作ロッド４８は、肉厚部２２の第３凹部３２（図８参照）、および肉厚部２２の貫通孔３２ｂ（図８参照）に配置される。平面部４８ａには、図１３に示すように、下壁面４８ｂから下方に向けて突出する突出部４８ｃが形成される。図１３は、操作部４１を左下方から見た斜視図である。
【００７２】
突出部４８ｃは、左右方向に並んで２つ形成される。突出部４８ｃは、左前方から右後方に向けて形成される。すなわち、突出部４８ｃの前壁面４８ｄは、左方から右方となるにつれて後方に位置するように形成される。突出部４８ｃの前壁面４８ｄは、保持部４０の第３突出部４５の後壁面４５ａ（図１０参照）に当接する。
【００７３】
操作ロッド４８の右方の端には、バネ５０（図１０参照）の一端と当接する当接部４８ｅが形成される。なお、バネ５０の他端は、肉厚部２２の第３凹部３２の側壁面（不図示）に当接する。操作部４１は、バネ５０によって左方に向けて付勢される。
【００７４】
押込部４９は、操作ロッド４８の左方の下端側から左方に向けて突出する。押込部４９は、肉厚部２２の第４凹部３３（図３参照）に配置される。押込部４９の先端には、操作ボタン（不図示）が取り付けられる。
【００７５】
操作部４１は、操作ボタンを介して押込部４９が右方に押し込まれ、突出部４８ｃが右方に移動すると、突出部４８ｃが保持部４０の第３突出部４５と摺動することで、第３突出部４５を前方に移動させる。これにより、昇降装置１０は、保持部４０の段部４２と、固定部１１の第１係合部１６の第２爪部１６ｃとの係合が解除される。
【００７６】
次に、付勢部１３について図１４を参照し説明する。図１４は、図４のXIV-XIV断面図である。付勢部１３は、固定部１１の第１凹部１５ａに配置される。付勢部１３は、バネケース６０と、バネ６１とを備える。
【００７７】
バネケース６０は、筒状に形成され、下端に底部６０ａが形成される。バネケース６０は、肉厚部２２の第１凹部２４に形成された貫通孔２４ｂに挿入され、固定部１１の取付部１５の第１凹部１５ａに載置される。
【００７８】
バネケース６０の上端には、外側に向けて突出する突出部６０ｂが形成される。突出部６０ｂは、バネケース６０の全周に形成される。
【００７９】
バネ６１は、バネケース６０に挿入される。バネ６１の一端は、バネケース６０の底部６０ａに当接する。また、バネ６１の他端は、肉厚部２２に取り付けられた板部２５に当接する。
【００８０】
付勢部１３は、左右方向に間隔を設けて２つ設けられる。また、２つの付勢部１３の間には、固定部１１の第１係合部１６が配置される。すなわち、付勢部１３と、第１係合部１６とは、左右方向に並んで配置される。そのため、昇降装置１０は、前後方向の長さを短くすることができる。
【００８１】
付勢部１３は、固定部１１と板部２５との間に設けられる。付勢部１３は、固定部１１が便器２に取り付けられた取付状態において、固定部１１に対して回動部１２が上昇するように、すなわち回動部１２が上方に回動するように付勢する。
【００８２】
なお、昇降装置１０は、便器２に固定部１１が取り付けられていない非取付状態とすることができる。非取付状態は、例えば、衛生洗浄装置３が製造されてから、便器２に取り付けられるまでの状態である。換言すると、非取付状態は、衛生洗浄装置３が便器２に取り付けられるまでの搬送状態である。非取付状態は、搬送や、保管のために梱包された状態や、衛生洗浄装置３が便器２から取り外された状態を含む。
【００８３】
非取付状態では、取付機構２１によって回動部１２が固定部１１に取り付けられず、固定部１１の第１係合部１６が回動部１２の第１係合部２８に係合し、固定部１１の第２係合部１７が回動部１２の第２係合部３４に係合する。
【００８４】
次に、実施形態に係る昇降装置１０の作用について説明する。
【００８５】
衛生洗浄装置３が便器２に取り付けられる場合には、まず、昇降装置１０の固定部１１が便器２に取り付けられる。これにより、昇降装置１０は非取付状態からリフトアップ状態となる。
【００８６】
リフトアップ状態では、図１５に示すように、バネ６１の付勢力によって回動部１２が上昇しており、バネケース６０の突出部６０ｂが回動部１２の第１凹部２４の底部２４ａに係合する。図１５は、図４のXIV-XIV断面におけるリフトアップ状態の断面図である。そのため、固定部１１に対する回動部１２の上昇位置は、突出部６０ｂが底部２４ａに係合する位置に保持される。
【００８７】
また、リフトアップ状態では、図１６に示すように、保持部４０の段部４２は、固定部１１の第２凹部１８よりも上方に位置し、固定部１１の第１係合部１６の第２爪部１６ｃとの係合が解除された状態に保持される。図１６は、図４のVII-VII断面におけるリフトアップ状態の断面図である。
【００８８】
なお、保持部４０は、バネ４６によって後方に向けて付勢されており、保持部４０の第２突出部４４がストッパー３１に当接し、後方への移動が規制されている。
【００８９】
リフトアップ状態から回動部１２が下方に押されると、保持部４０の段部４２の傾斜面４２ｃが、固定部１１の第１係合部１６の傾斜面１６ｂに当接する。
【００９０】
段部４２の傾斜面４２ｃと、第１係合部１６の傾斜面１６ｂとは、保持部４０の第２突出部４４がストッパー３１に当接した状態で、傾斜面４２ｃの前端が、傾斜面１６ｂの後端よりも前方側に位置するように形成される。すなわち、段部４２の傾斜面４２ｃ、および第１係合部１６の傾斜面１６ｂは、リフトアップ状態から回動部１２が降下した場合に、保持部４０の下壁面４０ｃと、第１係合部１６の上壁面１６ｅとが当接しないように形成される。
【００９１】
ここで、リフトアップ状態から回動部１２が降下した場合の保持部４０の動きについて図１７Ａ〜図１７Ｆを参照し説明する。なお、図１７Ａ〜図１７Ｆでは、第１係合部１６、および保持部４０のみを示している。
【００９２】
図１７Ａは、リフトアップ状態から回動部１２が降下した場合の保持部４０の動きを説明する図（その１）である。図１７Ｂは、リフトアップ状態から回動部１２が降下した場合の保持部４０の動きを説明する図（その２）である。図１７Ｃは、リフトアップ状態から回動部１２が降下した場合の保持部４０の動きを説明する図（その３）である。図１７Ｄは、リフトアップ状態から回動部１２が降下した場合の保持部４０の動きを説明する図（その４）である。図１７Ｅは、リフトアップ状態から回動部１２が降下した場合の保持部４０の動きを説明する図（その５）である。図１７Ｆは、リフトアップ状態から回動部１２が降下した場合の保持部４０の動きを説明する図（その６）である。
【００９３】
リフトアップ状態から回動部１２が降下し、保持部４０が降下すると（図１７Ａ）、保持部４０の段部４２の傾斜面４２ｃと、第１係合部１６の傾斜面１６ｂとが当接する。この状態で、回動部１２が下方に向けて押されると、保持部４０には、第１係合部１６の傾斜面１６ｂの反力によって前方に向けた力が作用する。これにより、保持部４０は、バネ４６（図１６参照）の付勢力に抗して前方に向けて移動する（図１７Ｂ）。
【００９４】
回動部１２がさらに下方に向けて押され、保持部４０が前方に移動し、段部４２の傾斜面４２ｃと、第１係合部１６の傾斜面１６ｂとが当接しなくなると、保持部４０は、段部４２の後端が第１係合部１６の前壁面１６ｄと摺動し、回動部１２とともに降下する（図１７Ｃ）。
【００９５】
回動部１２がさらに下方に向けて押され、段部４２の後端が第１係合部１６の前壁面１６ｄに当接しなくなると、保持部４０は、バネ４６によって後方に向けて付勢されているため、後方に移動する（図１７Ｄ）。これにより、段部４２の一部が、第１係合部１６の第２凹部１８に挿入され、段部４２の最も下方側の係合面４２ａが、第１係合部１６の第２爪部１６ｃ、具体的には、第２凹部１８の上壁面１８ａに当接し、係合する。
【００９６】
なお、保持部４０はバネ４６によって後方に向けて付勢されているが、段部４２の当接面４２ｂが第１係合部１６の前壁面１６ｄに当接することで、保持部４０は、後方への移動が規制される。
【００９７】
固定部１１に対して、回動部１２がさらに下方に移動可能であり、回動部１２が下方に向けて押されると、保持部４０は、段部４２の当接面４２ｂが第１係合部１６の前壁面１６ｄと摺動しつつ、下方に移動する（図１７Ｅ）。
【００９８】
そして、段部４２の当接面４２ｂが第１係合部１６の前壁面１６ｄに当接しなくなると、保持部４０は、バネ４６によって後方に向けて付勢されているため、後方に移動する（図１７Ｆ）。これにより、段部４２の下方側から２つ目の係合面４２ａが第１係合部１６の第２爪部１６ｃに当接し、係合する。
【００９９】
このように、リフトアップ状態から回動部１２が降下すると、保持部４０の段部４２が第１係合部１６の第２爪部１６ｃに順次係合し、固定部１１に対する回動部１２の降下位置が調整される。これにより、保持部４０は、所定の取付位置に保持される。すなわち、回動部１２は、固定部１１に対し、適切な降下位置に保持され、リフトダウン状態となる。
【０１００】
固定部１１の第１係合部１６の第２凹部１８は、左右方向に並んで２つ形成され、第２凹部１８の上壁面１８ａの高さが異なっている。また、回動部１２の保持部４０には、３段の段部４２が形成されている。そのため、昇降装置１０は、固定部１１に対する回動部１２の降下位置を、第１係合部１６の各第２凹部１８において３段階に調整することができる。すなわち、昇降装置１０は、固定部１１に対する回動部１２の降下位置を６段階に調整することができる。
【０１０１】
具体的には、２つの第２凹部１８の上壁面１８ａの高さの差Ａ（図６参照）は、段部４２の高さＢ（図１２参照）よりも小さい。なお、段部４２の高さＢは、段部４２の係合面４２ａ間の高さと、係合面４２ａと上壁面４０ａとの間の高さを含む。
【０１０２】
そのため、一方の第２凹部１８の第２爪部１６ｃと段部４２の或る係合面４２ａとが係合した状態から、一方の第２凹部１８の第２爪部１６ｃが段部４２の次の係合面４２ａに係合する前に、他方の第２凹部１８の第２爪部１６ｃが段部４２の係合面４２ａと係合する。
【０１０３】
このように、２つの第２凹部１８の第２爪部１６ｃが段部４２の係合面４２ａと交互に係合することで、昇降装置１０は、固定部１１に対する回動部１２の降下位置を６段階に調整することができる。
【０１０４】
例えば、２つの第２凹部１８の上壁面１８ａの高さの差Ａは、段部４２の高さＢの１／２である。これにより、昇降装置１０は、固定部１１に対する回動部１２の降下位置を均等に６段階で調整することができる。
【０１０５】
なお、リフトダウン状態では、図１４に示すように、付勢部１３のバネ６１は、バネケース６０を介して固定部１１と、肉厚部２２に取り付けられた板部２５とによって圧縮されている。そのため、リフトダウン状態では、固定部１１に対して回動部１２を上昇させる付勢力が回動部１２に作用している。
【０１０６】
リフトダウン状態から、操作部４１の操作ボタン（不図示）が押され、操作部４１が左方に移動すると、操作部４１の突出部４８ｃと当接する保持部４０の第３突出部４５が摺動し、保持部４０が前方に移動する。これにより、保持部４０の段部４２と、固定部１１の第１係合部１６の第２爪部１６ｃとの係合が解除され、図１５に示すように、バネ６１の付勢力によって回動部１２が回動して上昇し、リフトアップ状態となる。
【０１０７】
利用者が回動部１２をリフトアップ状態からさらに上方に回動させた場合には、バネケース６０の突出部６０ｂは、回動部１２の第１凹部２４の底部２４ａに係合しているため、付勢部１３は回動部１２とともに回動する。そして、回動部１２の第１係合部２８が、固定部１１の第１係合部１６の第１爪部１６ａに係合する。これにより、回動部１２の回動が規制される。すなわち、固定部１１の第１係合部１６は、回動部１２がリフトアップ状態からさらに上方に回動して上昇した場合に、回動部１２の上昇を規制するストッパー（規制部）として機能する。
【０１０８】
次に、実施形態に係る昇降装置１０の効果について説明する。
【０１０９】
昇降装置１０は、固定部１１の第１係合部１６に第２爪部１６ｃを設け、回動部１２の保持部４０に階段状の段部４２を設ける。また、昇降装置１０は、保持部４０を第２爪部１６ｃに向けて付勢するバネ４６を備える。昇降装置１０は、リフトアップ状態から回動部１２が降下された場合に、段部４２を第２爪部１６ｃに係合させ、リフトダウン状態にする。
【０１１０】
これにより、昇降装置１０は、固定部１１に対する回動部１２の降下位置を段部４２によって調整することができる。そのため、昇降装置１０は、陶器製の便器２の上面にばらつきがある場合であっても、回動部１２の保持部４０の段部４２を、固定部１１の第１係合部１６の第２爪部１６ｃに係合させることができ、回動部１２を適切な降下位置に保持することができる。
【０１１１】
また、昇降装置１０は、階段状の段部４２を保持部４０に設け、段部４２を第２爪部１６ｃに係合させることで、第２爪部１６ｃと係合する箇所の強度を大きくし、段部４２の段差間の距離を短くすることができる。そのため、昇降装置１０は、固定部１１に対する回動部１２の降下位置を短いピッチで調整することができ、固定部１１に対し、回動部１２を適切な降下位置に取り付けることができる。
【０１１２】
また、昇降装置１０では、リフトアップ状態から回動部１２が降下した場合に、保持部４０をバネ４６の付勢力に抗して前方に移動させる傾斜面４２ｃが段部４２に形成される。また、昇降装置１０では、リフトアップ状態から回動部１２が降下した場合に、段部４２の傾斜面４２ｃに当接する傾斜面１６ｂが固定部１１の第１係合部１６に形成される。
【０１１３】
これにより、昇降装置１０は、リフトアップ状態から回動部１２が下方に押された場合に、傾斜面１６ｂ、４２ｃによって保持部４０を前方に移動させて、その後、保持部４０の段部４２を固定部１１の第２爪部１６ｃに係合させることができる。そのため、利用者は、回動部１２を下方に押すだけで、固定部１１に対し、回動部１２を適切な降下位置に取り付けることができる。また、昇降装置１０では、段部４２に傾斜面４２ｃが形成され、第１係合部１６に傾斜面１６ｂが形成されることで、リフトアップ状態から回動部１２が下方に押された場合に、傾斜面１６ｂ、４２ｃによって保持部４０を確実に前方に移動させることができる。
【０１１４】
また、昇降装置１０では、第２爪部１６ｃの前端となる第１係合部１６の前壁面１６ｄが当接する当接面４２ｂが段部４２に形成される。当接面４２ｂは、第２爪部１６ｃが係合する係合面４２ａに直交するように形成される。
【０１１５】
これにより、昇降装置１０は、当接面４２ｂに、第１係合部１６の第２爪部１６ｃの先端を当接させて、保持部４０の後方への移動を規制することができる。そのため、昇降装置１０は、固定部１１に対し、回動部１２を適切な降下位置に保持することができる。
【０１１６】
また、昇降装置１０は、固定部１１に対する回動部１２の上昇位置を規制する第１係合部１６に第２爪部１６ｃを形成する。
【０１１７】
これにより、昇降装置１０は、固定部１１に対し、回動部１２の上昇位置、および降下位置を規制する部材を共通化することができ、部品点数を少なくすることができる。
【０１１８】
また、昇降装置１０は、第２凹部１８を左右方向に並べて２つ設け、２つの第２凹部１８の上壁面１８ａの高さを異なる高さとする。また、２つの第２凹部１８の上壁面１８ａの高さの差は、段部４２の高さよりも小さい。
【０１１９】
これにより、昇降装置１０は、段部４２を２つの第２凹部１８の第２爪部１６ｃに交互に係合させることができる。そのため、昇降装置１０は、固定部１１に対する回動部１２の降下位置を短いピッチで調整することができ、固定部１１に対し、回動部１２を適切な降下位置に取り付けることができる。
【０１２０】
また、２つの第２凹部１８の上壁面１８ａの高さの差は、段部４２の高さの１／２である。
【０１２１】
これにより、昇降装置１０は、固定部１１に対する回動部１２の降下位置を複数段で均等に調整することができる。
【０１２２】
上記実施形態では、段部４２に傾斜面４２ｃを設け、第１係合部１６に傾斜面１６ｂを設けた一例について説明したが、いずれか一方に傾斜面を設けてもよい。すなわち、昇降装置１０は、リフトアップ状態から回動部１２が降下した場合に、バネ４６の付勢力に抗して保持部４０を前方に移動可能であればよい。なお、傾斜面を設けていない段部４２、または第１係合部１６には、傾斜面に当接可能なＲ形状の当接部が形成されてもよい。
【０１２３】
また、上記実施形態では、固定部１１に第２爪部１６ｃを設け、回動部１２に保持部４０を設けた一例について説明したが、固定部１１に保持部４０を設け、回動部１２に第２爪部１６ｃを設けてもよい。
【０１２４】
また、上記実施形態では、回動部１２を回動させることでリフトアップ状態となる一例について説明したが、これに限られることはない。例えば、昇降装置１０は、固定部１１に対して回動部１２を上下方向に昇降させてもよい。
【０１２５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２６】
１      トイレ装置
２      便器
２ａ    ボウル部
３      衛生洗浄装置
１０    昇降装置
１１    固定部（第１ベース部）
１２    回動部（第２ベース部）
１６    第１係合部（規制部）
１６ｂ  傾斜面
１６ｃ  第２爪部（爪部）
１８ａ  上壁面（係合面）
２１    取付機構
４０    保持部
４２    段部
４２ａ  係合面
４２ｂ  当接面
４２ｃ  傾斜面
４６    バネ（付勢部）
【図１】
2020130740.tif 000003
【図２】
2020130740.tif 000004
【図３】
2020130740.tif 000005
【図４】
2020130740.tif 000006
【図５】
2020130740.tif 000007
【図６】
2020130740.tif 000008
【図７】
2020130740.tif 000009
【図８】
2020130740.tif 000010
【図９】
2020130740.tif 000011
【図１０】
2020130740.tif 000012
【図１１】
2020130740.tif 000013
【図１２】
2020130740.tif 000014
【図１３】
2020130740.tif 000015
【図１４】
2020130740.tif 000016
【図１５】
2020130740.tif 000017
【図１６】
2020130740.tif 000018
【図１７Ａ】
2020130740.tif 000019
【図１７Ｂ】
2020130740.tif 000020
【図１７Ｃ】
2020130740.tif 000021
【図１７Ｄ】
2020130740.tif 000022
【図１７Ｅ】
2020130740.tif 000023
【図１７Ｆ】
2020130740.tif 000024